(57)【要約】【課題】各カード所有者のトレーディングカードの属性情報と、ネットワーク上の取引で示される属性情報との一致を保証することにより、現実に存在するトレーディングカードの安全かつ適切な交換取引を実現することが可能なトレーディングシステムを提供する。【解決手段】取引管理サーバ１００の情報登録処理部１０１は、本トレーディングシステムで取引対象となるトレーディングカードについて予め認証ＩＤを付与するとともに、各トレーディングカードの属性情報を認証ＩＤに関連付けてデータベース１０３に格納する。カード取引処理部１０２は、利用者端末１２０Ａ〜Ｎから受信した取得希望情報に含まれる属性情報と、利用者端末１２０Ａ〜Ｎから受信した提供希望情報に含まれる認証ＩＤに基づき、データベース１０３から取得した属性情報とを比較して、各トレーディングカードについての交換取引処理を行う。【選択図】      図１
2004151867.tif 000002
【特許請求の範囲】
【請求項１】
トレーディングカードの取引を行う複数のカード所有者の利用者端末に対し、ネットワークを介して接続された取引管理サーバを備えたトレーディングシステムであって、
前記取引管理サーバは、予め各カード所有者の所有するトレーディングカードに対して付与した認証ＩＤと、前記各トレーディングカードの属性情報とを対応付けて格納する記憶手段と、
前記利用者端末により送信された取得希望カードの属性情報を含む取得希望情報に基づき前記記憶手段から取引対象となるトレーディングカードを検索して、取引処理を行う取引処理手段と
を備えたことを特徴とするトレーディングシステム。
【請求項２】
前記取引処理手段は、一の利用者端末から送信された認証ＩＤに基づき前記記憶手段から取得した属性情報と、提供を希望するカード所有者を示す利用者識別情報とを提供希望情報として前記記憶手段に格納する手段と、
他の利用者端末から送信された取得希望情報に含まれる属性情報に基づき、対応する属性情報を含む提供希望情報を前記記憶手段から取得して、各利用者端末に対し取引合意確認情報を送信する手段と
をさらに備えることを特徴とするトレーディングシステム。
【請求項３】
前記取引処理手段は、前記一の利用者端末から取得希望情報を受信し、前記他の利用者端末から送信された認証ＩＤに基づき前記記憶手段に格納した提供希望情報の中から、前記取得希望情報に対応する前記提供希望情報を検索する手段と、
検索結果として、前記取得希望情報に対応する提供希望情報が有る場合に、前記各利用者端末に対し前記各提供希望情報に対応するトレーディングカードの交換取引について、各利用者端末に対し取引合意確認情報を送信することを特徴とする請求項２に記載のトレーディングシステム。
【発明の詳細な説明】
【０００１】
【発明の属する技術分野】
本発明は、インターネット等のネットワークを介してトレーディングカードの取引を行うシステムに関する。
【０００２】
【従来の技術】
近年、トレーディングカードと呼ばれる、例えばスポーツ選手の写真等を印刷したカードについて、売買やカード所有者同士による交換等の取引が一般に行われている。このようなトレーディングカードについて、インターネット等のネットワークを介した取引システムとして、現実に発行印刷可能なトレーディングカードに対応するデータによりトレーディングカードの売買を行うシステム（例えば、特許文献１参照。）や、電子的仮想市場において仮想的通貨を取引媒体としてトレーディングカードの売買を行うシステム（例えば、特許文献２参照。）が公知となっている。
【０００３】
【特許文献１】
特開２００１−３３１６６７号公報（第５−７ページ、図１−３）
【特許文献２】
特開２００２−０４９７２０号公報（第３−４ページ、図１−２）
【０００４】
前記特許文献１のシステムは、現実に発行印刷可能なトレーディングカードに対応するデータの取引を管理する管理手段と、各ユーザの保有するトレーディングカードに対応するデータを記憶する記憶手段とを備えたサーバで構成され、インターネット上での取引に応じて記憶手段内のデータの追加又は削除を行うとともに、ユーザ端末からの要求に応じて前記記憶手段内のデータに基づき現実のトレーディングカードを発行する。
また、前記特許文献２のシステムは、ユーザ側端末にトレーディングカードの識別ラベルを電子的に読み取ってトレーディングカードを電子データ化するカード・ラベルリーダと、電子データ化したトレーディングカードに基づき物理的なトレーディングカードを複製する複製装置とを備える。本システムでは、電子データ化したトレーディングカードにより取引を行い、取引が成立した場合には、売り手側のユーザ端末におけるカード・ラベルリーダによりトレーディングカードを再使用不可能に回収するとともに、買い手側のユーザ端末における複製装置によりトレーディングカードを複製する。
このように、前記特許文献１及び特許文献２のシステムでは、トレーディングカードに対応するデータに基づき取引を行い、取引が成立した場合に、前記データに基づきトレーディングカードを発行，複製するものである。
【０００５】
【発明が解決しようとする課題】
しかし、特許文献１，２のシステムは、ネットワーク上でデータ化したトレーディングカードに基づき取引を行い、当該取引の結果に応じてトレーディングカードの発行，複製を行うものであり、物理的に存在するトレーディングカード自体を郵送等によりやり取りすることを想定したものではなかった。従って、物理的に存在するトレーディングカードの属性情報に基づき取引を行う手段や前記属性情報を管理する手段が設けられていなかった。ここで、トレーディングカードの属性情報とは、各トレーディングカードについての種別、印刷されたスポーツ選手の選手名，チーム名，大会・リーグ名等を示す情報であり、ネットワークを介して取引を行う場合には、各トレーディングカードを識別するために重要な情報となる。
特許文献１，２のシステムでは、属性情報についての考慮がされておらず、特に属性情報を管理する手段が設けられていないため、前記各システムを物理的に存在するトレーディングカードの取引に利用した場合には、取引の際に示された属性情報と、各トレーディングカードが実際に有する属性情報との一致を保証することができないという問題があった。例えば、カード所有者により入力されたトレーディングカードの属性情報に基づき取引を成立させた場合に、カード所有者により入力された属性情報と実際に受取ったトレーディングカードとが異なるという可能性があった。
【０００６】
本発明は前記課題を解決するためのものであり、各カード所有者のトレーディングカードの属性情報と、ネットワーク上の取引で示される属性情報との一致を保証することにより、現実に存在するトレーディングカードの安全かつ適切な交換取引を実現することが可能なトレーディングシステムを提供することを目的とする。
【０００７】
【課題を解決するための手段】
前記課題を解決するため本発明は、トレーディングカードの取引を行う複数のカード所有者の利用者端末に対し、ネットワークを介して接続された取引管理サーバを備えたトレーディングシステムであって、前記取引管理サーバは、予め各カード所有者の所有するトレーディングカードに対して付与した認証ＩＤと、前記各トレーディングカードの属性情報とを対応付けて格納する記憶手段と、前記利用者端末により送信された取得希望カードの属性情報を含む取得希望情報に基づき前記記憶手段から取引対象となるトレーディングカードを検索して、取引処理を行う取引処理手段とを備えたことを特徴とする。
また、前記取引処理手段は、一の利用者端末から送信された認証ＩＤに基づき前記記憶手段から取得した属性情報と、提供を希望するカード所有者を示す利用者識別情報とを提供希望情報として前記記憶手段に格納する手段と、他の利用者端末から送信された取得希望情報に含まれる属性情報に基づき、対応する属性情報を含む提供希望情報を前記記憶手段から取得して、各利用者端末に対し取引合意確認情報を送信する手段とをさらに備えることを特徴とする。
また、前記取引処理手段は、前記一の利用者端末から取得希望情報を受信し、前記他の利用者端末から送信された認証ＩＤに基づき前記記憶手段に格納した提供希望情報の中から、前記取得希望情報に対応する前記提供希望情報を検索する手段と、検索結果として、前記取得希望情報に対応する提供希望情報が有る場合に、前記各利用者端末に対し前記各提供希望情報に対応するトレーディングカードの交換取引について、各利用者端末に対し取引合意確認情報を送信することを特徴とする。
【０００８】
【発明の実施の形態】
以下、本発明の実施の形態について図面に基づき説明する。
図１は、本実施の形態に係るトレーディングシステムの概略構成を示すブロック図である。
図１に示すように、トレーディングシステムは、取引管理サーバ１００により構成され、インターネット等のネットワーク１１０を介して複数のユーザ端末１１０Ａ〜Ｎに接続されている。
取引管理サーバ１００は、情報登録処理部１０１と、カード取引処理部１０２と、データベース１０３とを備える。
情報登録処理部１０１は、本トレーディングシステムにおける取引者となるカード所有者についての情報をデータベース１０３に格納する。また、本トレーディングシステムで取引対象となるトレーディングカードについて予め認証ＩＤを付与するとともに、各トレーディングカードの属性情報を認証ＩＤに関連付けてデータベース１０３に格納する。
カード取引処理部１０２は、利用者端末１１０Ａ〜Ｎから受信した取得希望情報に含まれる属性情報と、利用者端末１１０Ａ〜Ｎから受信した提供希望情報に含まれる認証ＩＤに基づき、データベース１０３から取得した属性情報とを比較して、各トレーディングカードについての交換取引処理を行う。
データベース１０３は、ユーザ情報テーブルと、カード情報テーブルと、取得希望情報テーブルと、提供希望情報テーブルと、取引情報テーブルとから構成される。
【０００９】
図２は、データベース１０３を構成するユーザ情報テーブルのデータ構造の一例を示す図である。
ユーザ情報テーブル２００は、取引を行うカード所有者についての登録情報として、各ユーザを一意に識別するユーザＩＤ２０１と、氏名２０２と、トレーディングカードの配送先としての住所２０３と、メッセージの送信先としてのメールアドレス２０４とを含む各情報を有する。
ユーザＩＤ２０１は、各カード所有者についてユーザ登録を行う際に、情報登録処理部１０１が生成して格納する。
【００１０】
図３はデータベース１０３を構成するカード情報テーブルのデータ構造の一例を示す図であり、図４は登録対象としてスポーツ選手のトレーディングカードの一例を示す図である。
カード情報テーブル３００は、各トレーディングカードの登録情報として、各トレーディングカードを一意に識別するための認証ＩＤ３０１と、各トレーディンカードの属性情報３０２ａ〜３０２ｎと、各トレーディングカードの交換価値の指標を示す評価データ３０３との各データを有する。
認証ＩＤ３０１は登録対象としてのトレーディングカードについて情報登録処理部１０１が生成して格納する。
トレーディングカードの属性情報３０２ａ〜３０２ｎとして格納するデータ項目は各トレーディングカードの種別毎に予め設定されており、例えば図４に示すサッカー選手のトレーディングカード４００の場合、表面４１０に印刷された写真４１１，選手名４１２，大会・リーグ名４１３と、裏面４２０に印刷された写真４２１，選手詳細情報４２２，チーム名４２３の各情報を格納する。
評価データ３０３は、取引管理サーバ１００の管理者が各トレーディングカードの交換価値として設定した数値を格納する。例えば、評価データ「１０」のトレーディングカードは、評価データ「５」のトレーディングカード２枚と同等の価値を有することを意味する。但し、評価データとして設定した数値は、交換価値の目安を示すものであり、カード所有者同士が合意した場合には、評価データの異なるトレーディングカード同士の交換取引も成立する。
なお、取引管理サーバ１００の管理者により、カード情報テーブル３００に格納された認証ＩＤ３０１及び評価データ３０３がトレーディングカード４００の裏面４２０側に認証ＩＤ４２３及び評価データ４２４として付与される。トレーディングカード４００についての認証ＩＤ４２３等の付与は、トレーディングカード４００への印刷又はＩＣチップの貼付等の方法で行う。
【００１１】
図５はデータベース１０３を構成する取得希望情報テーブルのデータ構造の一例を示す図である。
取得希望情報テーブル５００は、各カード所有者が取得を希望するトレーディングカードの情報として、各トレーディングカードの属性情報５０１ａ〜５０１ｎと、取得希望者を示すユーザＩＤ５０２とを有する。
【００１２】
図６は、データベース１０３を構成する提供希望情報テーブルのデータ構造の一例を示す図である。
提供希望情報テーブル６００は、各カード所有者が提供を希望するトレーディングカードの情報として、各トレーディングカードの認証ＩＤ６０１と、属性情報６０２ａ〜６０２ｎと、カード所有者を示すユーザＩＤ６０３とを有する。
【００１３】
図７はデータベース１０３を構成する取引情報テーブルのデータ構造の一例を示す図である。
取引情報テーブル７００は、トレーディングカードの交換取引の成立情報として、各取引者Ａ７０１及び取引者Ｂ７０２のそれぞれについてユーザＩＤ７０３，７０５及び認証ＩＤ７０４，７０６と、取引成立日７０７の各情報を有している。
【００１４】
以上の構成により、トレーディングカードの交換取引を行う方法について説明する。
本実施の形態のトレーディングシステムでは、カード所有者と取引を行う各トレーディングカードについて、予め取引管理サーバ１００による登録処理が必要となる。
取引管理サーバ１００の管理者は、各カード所有者から郵送されたトレーディングカード又は新規に発行されたトレーディングカードについて属性情報の登録処理を行い、各カード所有者に返送等する。
取引管理サーバ１００の情報登録処理部１０１は、登録依頼のあったカード所有者，トレーディングカードについて、ユーザＩＤ，認証ＩＤを生成し、各登録情報と共に、ユーザ情報テーブル２００，カード情報テーブル３００に格納する。
カード取引処理部１０２は、データベース１０３の各テーブル２００，３００，５００〜７００に格納されたカード所有者及びトレーディングカードの情報に基づき取引処理を行う。
取引処理の結果、交換取引が成立した場合には、取引管理サーバ１００の管理者は、各カード所有者から郵送されたトレーディングカードについて認証ＩＤに基づき確認を行い、取引相手となったカード所有者へトレーディングカードを配送する。
【００１５】
図８は、取引管理サーバ１００がカード取得希望者としてのカード所有者Ａとカード提供希望者としてのカード所有者Ｂとのとの間での交換取引を成立させる際の処理の概要を示すフローチャートである。
カード取得希望者側のユーザ端末では、取得を希望するトレーディングカードについて属性情報の入力が行われる（ステップ８０１）。
一方、カード提供希望者側のユーザ端末では、提供を希望するトレーディングカード４００に付与された認証ＩＤ４２４の入力が行われる（ステップ８０２）。
各ユーザ端末からの入力を受付けた取引管理サーバ１００はカード取引処理部１０２により、取引情報テーブル７００内の取得希望情報テーブル５００及び提供希望情報テーブル６００に各情報を格納し（ステップ８０３）、属性情報に基づき検索処理を行う（ステップ８０４）。検索処理では、カード取得希望者側のユーザ端末から入力された属性情報に基づき、該当するトレーディングカードの情報を提供希望情報テーブル６００から検索し、カード提供希望者側のユーザ端末から入力された認証ＩＤに対応する属性情報に基づき、該当するトレーディングカードの情報を取得希望情報テーブル５００から検索する。
検索処理の結果、各カード所有者Ａ，Ｂの取得希望，提供希望に該当するトレーディングカードがあった場合には、各ユーザ端末に対して同意確認のメッセージを送信し、取引同意確認処理を行う（ステップ８０５）。同意確認のメッセージに対し各ユーザ端末によって取引同意が送信された場合（ステップ８０６，８０７）、カード取引処理部１０２は、取引が成立したものとして、取引情報テーブル７００に情報を格納するとともに、各ユーザ端末に対し取引の成立したトレーディングカードの郵送指示を送信して処理を終了する（ステップ８０８）。
各カード所有者からトレーディングカードを受取った管理者は、取引管理サーバ１００のデータベース１０３から各カード所有者の取引情報を取得して、取引対象となったトレーディングカードか否かの確認を行った後、取引相手となったカード所有者の住所へトレーディングカードの配送を行う。
【００１６】
前記取引処理において、カード取得希望として属性情報の入力を受付けた場合と、カード提供希望として認証ＩＤの入力を受付けた場合のそれぞれについて取引管理サーバ１００の行う処理の詳細を図６〜７の各テーブル６００，７００に格納された情報の例を用いて説明する。以下の説明では、ユーザＩＤ「００００１」のユーザをカード所有者Ａとし、「００００２」のユーザをカード所有者Ｂとする。
図９は、カード所有者Ａのカード取得希望に応じた取引処理を示すフローチャートである。
取引管理サーバ１００のカード取引処理部１０２は、カード所有者Ａのユーザ端末により入力された属性情報を受信し、取得希望情報テーブル５００に新たに属性情報及びユーザＩＤを格納する（ステップ９０１）。
カード取引処理部１０２は、取得希望情報テーブル５００に格納された属性情報「サッカー選手，Ｄ．Ｂ，・・・，Ｍ．Ｕ」に基づき、提供希望情報テーブル６００から該当するトレーディングカードを検索する（ステップ９０２）。
検索の結果、該当するトレーディングカードが登録されているため、（ステップ９０３）、該当するトレーディンカードのカード所有者Ｂについての取得希望カード検索処理を行う（ステップ９０４）。取得希望カード検索処理では、カード所有者ＢのユーザＩＤを提供希望情報テーブル６００から取得し、取得したユーザＩＤ「００００２」に基づき取得希望者情報テーブル５００からカード所有者Ｂの取得希望カードの属性情報「サッカー選手，Ｒ．Ｂ，・・・，Ｂ．Ｃ」を取得する。取得した属性情報及びカード所有者者ＡのユーザＩＤ「００００１」に基づき、提供希望情報テーブル６００からカード所有者Ｂの取得希望カードを検索する（ステップ９０４）。
検索の結果、カード所有者Ａの提供希望カードとしてカード所有者Ｂの取得希望カードが登録されているため（ステップ９０５）、各カード所有者Ａ，Ｂに対して同意確認処理を行う（ステップ９０６）。同意確認処理では、各カード所有者Ａ，Ｂのユーザ端末に対し、交換取引を行う各トレーディングカードの属性情報を含む取引同意確認メッセージを送信し、トレーディングカードの交換取引に同意するか否かの返答を求める。
なお、ステップ９０５において該当カードが複数有る場合には、先にカード所有者Ｂに対し取引同意確認処理として、該当カードの中から取得を希望するカードを選択させ、選択されたトレーディングカードについてカード所有者Ａに対し取引同意確認処理を行う。また、交換取引を行うトレーディングカードについてカード情報テーブル３００に格納されている評価データが異なる場合には、評価データの数値に応じて１枚対ｎ枚の交換取引を選択させ、選択結果に応じて同意確認処理を行うこととしてもよい。
同意確認処理の結果、各カード所有者Ａ，Ｂのユーザ端末から同意のメッセージが送信された場合には（ステップ９０７）、各ユーザ端末に対しカード配信指示のメッセージを送信するとともに、取引情報テーブル７００の更新を行う（ステップ９０８）。
取引情報テーブル７００の更新としては、取引の成立したトレーディングカードの情報を取得希望情報格納テーブル５００及び提供希望情報テーブル６００から削除するとともに、成立した取引の内容を取引情報テーブル７００に格納する。
【００１７】
一方、ステップ９０５において、該当カードの登録がされていないと判定した場合には、カード取得希望者Ａの提供希望カードの情報を提供希望情報テーブル６００から取得して、カード取得希望者Ａの取得希望カードと共に取引申込情報としてカード所有者Ｂのユーザ端末に送信して表示させる（ステップ９０９）。カード所有者Ｂにより、ユーザ端末に表示されたカード取得希望者Ａの提供希望カードの中からトレーディングカードの選択がされた場合には（ステップ９１０）、前述と同様に同意確認処理を行う（ステップ９０６〜）。
ステップ９０３において該当カードの登録がされていないと判定した場合、ステップ９０７においてユーザ端末から同意を示す情報が送信されないと判定した場合、または、ステップ９１０においてカード所有者によるカードの選択がされないと判定した場合には、該当カードについてのカード提供希望カードが登録されるまで待機状態となる（ステップ９１１）。
【００１８】
図１０は、カード所有者Ｂのカード提供希望に応じた取引処理を示すフローチャートである。
取引管理サーバ１００のカード取引処理部１０２は、カード所有者Ｂのユーザ端末により入力された認証ＩＤを受信し（ステップ１００１）、受信した認証ＩＤに基づきカード情報テーブル３００から属性情報を取得して、提供希望情報テーブル６００に認証ＩＤ，属性情報及びユーザＩＤを格納する（ステップ１００２）。
カード取引処理部１０２は提供希望情報テーブル６００に格納された属性情報「サッカー選手，Ｄ．Ｂ，・・・，Ｍ．Ｕ」に基づき、取得希望情報テーブル５００から該当する取得希望情報を検索する（ステップ１００３）。
検索の結果、該当する取得希望情報が登録されているため、（ステップ１００４）、カード所有者Ｂについての取得希望カード検索処理を行う（ステップ１００５）。取得希望カード検索処理では、カード所有者ＢのユーザＩＤを提供希望情報テーブル６００から取得し、取得したユーザＩＤ「００００２」に基づき取得希望者情報テーブル５００からカード所有者Ｂの取得希望カードの属性情報「サッカー選手，Ｒ．Ｂ，・・・，Ｂ．Ｃ」を取得する。取得した属性情報及びカード所有者者ＡのユーザＩＤ「００００１」に基づき、提供希望情報テーブル６００からカード所有者Ｂの取得希望カードを検索する。
検索の結果、カード所有者Ａの提供希望カードとしてカード所有者Ｂの取得希望カードが登録されているため（ステップ１００６）、各カード所有者Ａ，Ｂに対して前述と同様の同意確認処理を行う（ステップ１００７）。
同意確認処理の結果、各カード所有者Ａ，Ｂのユーザ端末から同意のメッセージが送信された場合には（ステップ１００８）、各ユーザ端末に対しカード配信指示のメッセージを送信するとともに、取引情報テーブル７００の更新を行う（ステップ１００９）。
【００１９】
一方、ステップ１００６において、該当カードの登録がされていないと判定した場合には、カード所有者Ｂの取得希望カードの情報を取得希望情報テーブル５００から取得して、カード所有者Ｂの提供希望カードと共に取引申込情報としてカード所有者Ａのユーザ端末に送信して表示させる（ステップ１０１０）。カード所有者Ａにより、カード所有者Ｂの提供希望カードに対応するカードの提供希望として認証ＩＤの入力がされた場合には、（ステップ１０１１）、当該認証ＩＤに基づきカード情報テーブル３００から取得した属性情報，認証ＩＤ及びユーザＩＤを提供希望情報テーブル６００に格納して（ステップ１０１２）、前述と同様に同意確認処理を行う（ステップ１００７〜）。
ステップ１００４において該当カードの登録がされていないと判定した場合、ステップ１００８においてユーザ端末から同意を示す情報が送信されないと判定した場合、または、ステップ１０１１においてカード所有者Ａによる認証ＩＤの入力がされないと判定した場合には、該当カードについての他のカード取得希望情報が登録されるまで待機状態となる（ステップ１０１３）。
【００２０】
以上のように、本実施の形態に係るトレーディングシステムでは、取引管理サーバによりトレーディングカードの属性情報を認証ＩＤに対応付けて管理し、取引管理サーバの管理する認証ＩＤに基づき取引管理を行うこととしたので、現実に存在するトレーディングカードのネットワーク上での取引において、取引の際に示される属性情報の信頼性を確保することができる。即ち、カード提供希望者による属性情報の入力の代わりに、認証ＩＤを入力させ、当該認証ＩＤに対応付けられた属性情報に基づき提供希望情報を管理することとしたので、取引の際に示された属性情報と実際のトレーディングカードとの不一致の問題を無くすことができ、安全かつ適切な交換取引を実現することができる。
また、トレーディングカードの属性情報を含む取得希望情報及び提供希望情報に基づき取引管理を行うこととしたので、各カード所有者の希望に応じた適切な交換取引管理を行うことができる。
また、トレーディングカードの属性情報として格納するデータ項目を、各トレーディングカードの種別毎に予め設定することとしたため、各カード所有者は設定されたデータ項目について取得を希望するトレーディングカードの情報を入力することにより、取得希望カードの指定を容易かつ適切に行うことができる。
また、各トレーディングカードについて評価データを設定することとしたので、交換価値の不明確なトレーディングカードについても、適切な交換取引管理を行うことができる。
【００２１】
なお、前記実施の形態では、評価データに基づき１枚対ｎ枚の交換取引を可能としているが、これに限るものではなく、前記評価データに基づきｎ枚対ｎ枚の交換取引を可能としてもよい。
また、各トレーディングカードの交換価値を評価データの数値により示すこととしているが、これに限るものではなく、各トレーディングカードの交換価値をランクで示し、各ランクについて設定された交換レートテーブルに基づき１枚対ｎ枚等の交換取引を行なうこととしてもよい。
【００２２】
【発明の効果】
以上のように、本発明によれば、取引管理サーバにおいて認証ＩＤに基づき各トレーディングカードの属性情報を管理するため、ネットワーク上の取引の際に示される属性情報についての信頼性を担保することができ、現実に存在するトレーディングカードについての交換取引を安全かつ適切に行うことができる。
【図面の簡単な説明】
【図１】本発明の一実施の形態に係るトレーディングシステムの概略構成を示すブロック図である。
【図２】ユーザ情報テーブルのデータ構造の一例を示す図である。
【図３】カード情報テーブルのデータ構造の一例を示す図である。
【図４】トレーディングカードの一例を示す図である。
【図５】取得希望情報テーブルのデータ構造の一例を示す図である。
【図６】提供希望情報テーブルのデータ構造の一例を示す図である。
【図７】取引情報テーブルのデータ構造の一例を示す図である。
【図８】本発明の一実施の形態に係るトレーディングシステムによる取引処理の概要を示すフローチャートである。
【図９】カード取得希望に基づく取引処理を示すフローチャートである。
【図１０】カード提供希望に基づく取引処理を示すフローチャートである。
【符号の説明】
１００  取引管理サーバ、１０１  情報登録処理部、１０２  カード取引処理部、１０３  データベース、１１０Ａ〜Ｎ  利用者端末、１２０  ネットワーク、３００  カード情報テーブル、３０１  認証ＩＤ、３０２ａ〜ｎ  属性情報、３０３  評価データ、４００  トレーディングカード、４２４  認証ＩＤ、４２５  評価データ、５００  取得希望情報テーブル、５０１ａ〜ｎ  属性情報、５０２  ユーザＩＤ、６００  提供希望情報テーブル、６０１  認証ＩＤ、６０２ａ〜ｎ  属性情報、６０３  ユーザＩＤ、７００  取引情報テーブル、７０１  所有者Ａ、７０２  所有者Ｂ、７０３，７０５  ユーザＩＤ、７０４，７０６  認証ＩＤ。
【図１】
2004151867.tif 000003
【図２】
2004151867.tif 000004
【図３】
2004151867.tif 000005
【図４】
2004151867.tif 000006
【図５】
2004151867.tif 000007
【図６】
2004151867.tif 000008
【図７】
2004151867.tif 000009
【図８】
2004151867.tif 000010
【図９】
2004151867.tif 000011
【図１０】
2004151867.tif 000012